(57)【要約】      （修正有）【課題】豪雨時の雨量を感知し、この雨水の自重にて自然に止水できる水害防止装置を提供する。【解決手段】水田の排水口に設置する水害防止装置１０であって、水害防止装置は、水田の排水口を堰き止める止水体１１と、当該止水体の水田側に設けた流水口１７と、当該流水口を塞ぐための止水弁１２と、当該止水弁を係脱自在に引掛け保持する引掛部１４に連結された雨水受け１３とを有する。上記構造により、雨水受けが空又は空に近いときには止水弁を引掛部にて引掛け保持し、当該雨水受けに所定の雨水が溜まると雨水の自重にて止水弁が引掛部から外れ、流水口を塞ぐ。【選択図】図１
0003180358.tif 000002
【実用新案登録請求の範囲】
【請求項１】
水田の排水口に設置する水害防止装置であって、
水害防止装置は、水田の排水口を堰き止める止水体と、
当該止水体の水田側に設けた流水口と、
当該流水口を塞ぐための止水弁と、
当該止水弁を係脱自在に引掛け保持する引掛部に連結された雨水受けとを有し、
雨水受けが空又は空に近いときには止水弁を引掛部にて引掛け保持し、当該雨水受けに所定の雨水が溜まると雨水の自重にて止水弁が引掛部から外れ、流水口を塞ぐものであることを特徴とする水害防止装置。
【請求項２】
前記雨水受けと引掛部は連結部にてシーソー状態に連結してあり、
雨水受けが空又は空に近い状態では引掛部側が下に向けて回動することで止水弁を引掛け保持でき、雨水受けに所定量の雨水が溜まると当該雨水の自重にて雨水受け側が下に向けて回動することで引掛部側が上昇し、止水弁が引掛部から外れることを特徴とする請求項１記載の水害防止装置。
【請求項３】
前記流水口は上方が開口したパイプになっていて、
止水弁が前記引掛部から外れると当該止水弁の自重にて落下し、前記パイプの開口部を塞ぐものであり、
前記パイプは複数のリングに分割してあり、リングを積み重ねることで水田側の水位調整が可能になっていることを特徴とする請求項１又は２記載の水害防止装置。
【考案の詳細な説明】
【技術分野】
【０００１】
本考案は、水田の貯水能力を利用することで豪雨時における下流流域の水害を防止するのに有効な水害防止装置に関する。
【背景技術】
【０００２】
近年、局地的な集中豪雨が頻繁に発生しており、下流域での水害が問題になっている。
現在、ダム等に貯水することで水害を防止せんとしているが、ダムは一般的に川の上流側に多く、ダムよりも下流側であって例えば平野部に豪雨が発生した場合には、そのまま下流流域に多量の雨水が流れ込み、水害が発生しやすかった。
特に比較的勾配が急な平野部を流れる河川にあっては、急激な増水による水害も発生しやすかった。
そこで、本出願人は水田の一時的な貯水能力を利用した水害防止装置を先に提案した（特許文献１）。
しかし、先に提案したものは水田管理者が止水弁を閉じに現地の水田まで行かなければならなかったので、本考案は雨水受けを設けることで、水田管理者が現地に行かなくても止水できるようにしたものである。
【先行技術文献】
【特許文献】
【０００３】
【特許文献１】実用新案登録第３１６４２４８号公報
【考案の開示】
【考案が解決しようとする課題】
【０００４】
本考案は、豪雨時の雨量を感知し、この雨水の自重にて自然に止水できる水害防止装置の提供を目的とする。
【課題を解決するための手段】
【０００５】
本考案に係る水害防止装置は、水田の排水口に設置する水害防止装置であって、水害防止装置は、水田の排水口を堰き止める止水体と、当該止水体の水田側に設けた流水口と、当該流水口を塞ぐための止水弁と、当該止水弁を係脱自在に引掛け保持する引掛部に連結された雨水受けとを有し、雨水受けが空又は空に近いときには止水弁を引掛部にて引掛け保持し、当該雨水受けに所定の雨水が溜まると雨水の自重にて止水弁が引掛部から外れ、流水口を塞ぐものであることを特徴とする。
【０００６】
この場合に雨水受けと引掛部は連結部にてシーソー状態に連結してあり、雨水受けが空又は空に近い状態では引掛部側が下に向けて回動することで止水弁を引掛け保持でき、雨水受けに所定量の雨水が溜まると当該雨水の自重にて雨水受け側が下に向けて回動することで引掛部側が上昇し、止水弁が引掛部から外れるようにしてもよい。
また、流水口は上方が開口したパイプになっていて、止水弁が前記引掛部から外れると当該止水弁の自重にて落下し、前記パイプの開口部を塞ぐものであり、前記パイプは複数のリングに分割してあり、リングを積み重ねることで水田側の水位調整が可能になっているのが好ましい。
【考案の効果】
【０００７】
本考案に係る水害防止装置は、水田の排水口に設置が容易で、電気等の外部エネルギーが不要で水田管理者が現地に出向くのも不要であり、雨水の自重を利用して水田の排水口を止水できる。
これにより、水田の貯水能力を利用して下流流域の水害を防止するのに有効である。
【図面の簡単な説明】
【０００８】
【図１】本考案に係る水害防止装置の例を示し、（ａ）は流水口を開口した状態、（ｂ）は流水口を止水弁で塞いだ状態を示す。
【図２】水田側から見た水害防止装置を示す。
【図３】流水口を止水弁で塞いだ状態を示す。
【図４】水位調整具の一部をストック部にストックした状態を示す。
【図５】水田の排水側から見た水害防止装置を示す。
【図６】（ａ）は雨水受けが空の状態、（ｂ）は雨水が雨水受けに溜まり、引掛部が上方に回動し、止水弁の爪部が外れる状態、（ｃ）は止水弁が落下し、流水口を塞いだ状態を示す。
【図７】水害防止装置を水田の排水口に設置した状態を示す。
【考案を実施するための最良の形態】
【０００９】
本考案に係る水害防止装置の構造例を以下図面に基づいて説明する。
水害防止装置１０を水田側から見た状態を図２，３に示し、図７に水田の排水口２に設置した状態を示す。
図１は要部拡大図を示す。
水害防止装置は水田の排水口２を堰き止める止水体１１を有する。
止水体１１は図７に示す水田の排水口２を堰き止めることができれば、形状や構造に制限がなく、堰き止め方法にも制限がない。
止水体１１は図２及び図７に示すように水田側から排水口２に連通した排水パイプ１９を有する。
排水パイプ１９の水平方向端部には蓋体１９ａが着脱自在に取り付けられ、水田の水を完全に排水する場合には、この蓋体１９ａを取り外す。
排水パイプ１０の反対側は、図５に示すように排水口２との連通部１９ｂになっている。
図２に示すように排水パイプ１９の上部に流水用の流水パイプ１６を連通状態で連結してある。
流水パイプ１６は上部が開口した流水口１７になっているとともに、流水パイプ１６は図４に示すように複数に分割することで、リング１６ａ〜１６ｄの積み重ね数により図７（ｂ）に示すように水田に溜まる水位が調整できる。
図４はストック台２０に立設したストックバー２１にリング１６ａ，１６ｂ，１６ｃをストックさせた状態を示す。
リング１６ａ〜１６ｂはガイドシャフト１５によって位置決めできるように差し込み溝１１６ａ〜１１６ｄを有する。
【００１０】
止水体１１の上部には図１及び図６に示すように、雨水受け１３と止水弁１２の引掛部１４とが連結部１８にて略水平方向に連結してされている。
連結部１８の途中は回動自在に軸部１８ａを介して止水体１１に軸着してある。
従って、引掛部１４と雨水受け１３とはシーソー状態になっていて、雨水受け１３が空又は空に近いときには引掛部１４の方が雨水受け１３よりも重く設定してあり、引掛部１４が下に向けて回動し、略Ｌ字形に折り曲げた引掛部１４の先端１４ａが止水弁１２の弁体１２ａの裏面側に設けた爪部１２ｅと係止している。
止水弁１２はガイドシャフト１５に沿って上下動できるようになっている。
止水弁１２のスライド部１２ｂに設けたスライド溝（孔）１２ｃがガイドシャフト１５にスライド自在に連結され、スライド部１２ｂから回動自在の連結部１２ｄを介して弁体１２ａが連結されている。
雨水受け１３に雨水が溜まり、重くなると図６（ｂ）に示すように雨水受け１３側が下に向けて回動し、それにより引掛部１４が矢印の方向に回動する。
これにより、引掛部１４に引掛けられていた止水弁１２が落下し、弁体１２ａが倒れ込むようにして流水口１７を上から塞ぐ。
【符号の説明】
【００１１】
１０      水害防止装置
１１      止水体
１２      止水弁
１２ａ    弁体
１２ｂ    スライド部
１２ｄ    連結部
１２ｅ    爪部
１３      雨水受け
１４      引掛部
１５      ガイドシャフト
１６      流水パイプ
１７      流水口
１８      連結部
【図１】
0003180358.tif 000003
【図２】
0003180358.tif 000004
【図３】
0003180358.tif 000005
【図４】
0003180358.tif 000006
【図５】
0003180358.tif 000007
【図６】
0003180358.tif 000008
【図７】
0003180358.tif 000009